(57)【要約】【課題】水中でＬＥＤ素子からの熱を効果的に逃がすことが可能な、水中用ＬＥＤ照明装置を提供する。【解決手段】水中用ＬＥＤ照明装置１０は、一端から他端に貫通する貫通孔２１が形成され、複数の外面２２をもつ冷却管２０と、冷却管２０の外面２２に取り付けられ、複数のＬＥＤ素子３２を含むＬＥＤパネル３０とを備えている。冷却管２０の貫通孔２１に水が流入することによりＬＥＤパネル３０を冷却するようになっている。【選択図】図１
2014045691.tif 000002
【特許請求の範囲】
【請求項１】
水中用ＬＥＤ照明装置において、
一端から他端に貫通する貫通孔が形成され、複数の外面をもつ本体部と、
前記本体部の前記外面に取り付けられ、複数のＬＥＤ素子を含むＬＥＤパネルとを備えたことを特徴とする水中用ＬＥＤ照明装置。
【請求項２】
前記本体部を外方から取り囲む筒状の保護管と、
前記保護管の両端開口を封止する一対のキャップとをさらに備え、
各前記キャップに、前記本体部の前記貫通孔に連通する開孔が設けられていることを特徴とする請求項１記載の水中用ＬＥＤ照明装置。
【請求項３】
各前記キャップは、前記保護管の内側に位置する保護管取付部と、前記保護管取付部に連結され、前記保護管の外側に位置するスカート部とを有することを特徴とする請求項２記載の水中用ＬＥＤ照明装置。
【請求項４】
前記保護管取付部の外面に、前記保護管に密着する防水リングと、前記防水リングより前記保護管の端部側に位置するとともに前記保護管に密着するバックアップリングとを設けたことを特徴とする請求項３記載の水中用ＬＥＤ照明装置。
【請求項５】
前記保護管外方に、長手方向に延びる支柱を設けたことを特徴とする請求項２乃至４のいずれか一項記載の水中用ＬＥＤ照明装置。
【請求項６】
一方のキャップに、一対の脚部と、前記一対の脚部間に延びる横断バーとを有するハンドルを設けたことを特徴とする請求項２乃至５のいずれか一項記載の水中用ＬＥＤ照明装置。
【請求項７】
前記一方のキャップに、各前記ＬＥＤパネルと電源装置とを接続するケーブルが取り付けられ、前記ケーブルは、前記一方のキャップのうち前記開孔より径方向外側の位置を通り、かつ前記ハンドルの前記横断バーのうち前記一方のキャップの前記開孔に対応する位置を通ることを特徴とする請求項６記載の水中用ＬＥＤ照明装置。
【請求項８】
前記ＬＥＤパネルは、複数の緑色のＬＥＤ素子を含む第１領域と、複数の白色のＬＥＤ素子を含む第２領域とを有し、前記第１領域と前記第２領域とが交互に配置されていることを特徴とする請求項１乃至７のいずれか一項記載の水中用ＬＥＤ照明装置。
【請求項９】
水中用ＬＥＤ照明装置において、
本体部と、
前記本体部に取り付けられ、複数のＬＥＤ素子を含むＬＥＤパネルと、
前記ＬＥＤパネルを外方から取り囲む筒状の保護管と、
前記保護管の両端開口を封止する一対のキャップとを備え、
一方のキャップに、一対の脚部と、前記一対の脚部間に延びる横断バーとを有するハンドルを設けたことを特徴とする水中用ＬＥＤ照明装置。
【請求項１０】
前記一方のキャップに、各前記ＬＥＤパネルと電源装置とを接続するケーブルが挿入され、前記ケーブルは、前記一方のキャップの中心より径方向外側の位置を通り、かつ前記ハンドルの前記横断バーのうち前記一方のキャップの前記中心に対応する位置を通ることを特徴とする請求項９記載の水中用ＬＥＤ照明装置。
【請求項１１】
水中用ＬＥＤ照明システムにおいて、
請求項１乃至１０のいずれか一項記載の水中用ＬＥＤ照明装置と、
前記水中用ＬＥＤ照明装置の前記ＬＥＤパネルに電力を供給する電源装置と、
前記水中用ＬＥＤ照明装置の前記ＬＥＤパネルと前記電源装置とを接続するケーブルとを備えたことを特徴とする水中用ＬＥＤ照明システム。
【発明の詳細な説明】
【技術分野】
【０００１】
本発明は、水中用ＬＥＤ照明装置および水中用ＬＥＤ照明システムに関する。
【背景技術】
【０００２】
従来、イカ釣り漁業において、漁船に設置された照明によって海面を照らすことにより、水中のイカを集めることが行われている。このようなイカ釣り用照明としては、従来一般にメタルハライドランプが用いられている。また、イカ釣り用照明に供給する電力は、漁船の船上に設けられた発電機から供給される。しかしながら、メタルハライドランプは電力の消費量が大きいため、メタルハライドランプを用いた場合、発電機に使用する燃料の消費量が増加してしまうという問題がある。
【０００３】
このため、イカ釣り用照明として、メタルハライドランプに代えて、電力の消費量が小さいＬＥＤ照明を用いることが試みられている（例えば特許文献１参照）。
【先行技術文献】
【特許文献】
【０００４】
【特許文献１】特開２００７−１８５１８６号公報
【発明の概要】
【発明が解決しようとする課題】
【０００５】
また一般に、イカ釣り用照明としては、漁船の船上に設置される船上灯と、漁船から水中につり下げて使用する水中灯とが知られている。このうち船上灯は、漁船の船上から水中を照らすため、強い照度の光を照射する必要があり、このため消費電力が大きくなってしまうという問題がある。一方、水中灯は、水中でイカを誘導するため、消費電力を小さくすることが可能である。
【０００６】
また、ＬＥＤ照明は、使用中に熱を発生するため、水中灯としてＬＥＤ照明を用いる場合、この熱を水中で効果的に逃がす構造を持つことが必要となる。
【０００７】
本発明はこのような点を考慮してなされたものであり、水中でＬＥＤ素子からの熱を効果的に逃がすことが可能な、水中用ＬＥＤ照明装置および水中用ＬＥＤ照明システムを提供することを目的とする。
【課題を解決するための手段】
【０００８】
本発明は、水中用ＬＥＤ照明装置において、一端から他端に貫通する貫通孔が形成され、複数の外面をもつ本体部と、前記本体部の前記外面に取り付けられ、複数のＬＥＤ素子を含むＬＥＤパネルとを備えたことを特徴とする水中用ＬＥＤ照明装置である。
【０００９】
本発明は、前記本体部を外方から取り囲む筒状の保護管と、前記保護管の両端開口を封止する一対のキャップとをさらに備え、各前記キャップに、前記本体部の前記貫通孔に連通する開孔が設けられていることを特徴とする水中用ＬＥＤ照明装置である。
【００１０】
本発明は、各前記キャップは、前記保護管の内側に位置する保護管取付部と、前記保護管取付部に連結され、前記保護管の外側に位置するスカート部とを有することを特徴とする水中用ＬＥＤ照明装置である。
【００１１】
本発明は、前記保護管取付部の外面に、前記保護管に密着する防水リングと、前記防水リングより前記保護管の端部側に位置するとともに前記保護管に密着するバックアップリングとを設けたことを特徴とする水中用ＬＥＤ照明装置である。
【００１２】
本発明は、前記保護管外方に、長手方向に延びる支柱を設けたことを特徴とする水中用ＬＥＤ照明装置である。
【００１３】
本発明は、一方のキャップに、一対の脚部と、前記一対の脚部間に延びる横断バーとを有するハンドルを設けたことを特徴とする水中用ＬＥＤ照明装置である。
【００１４】
本発明は、前記一方のキャップに、各前記ＬＥＤパネルと電源装置とを接続するケーブルが取り付けられ、前記ケーブルは、前記一方のキャップのうち前記開孔より径方向外側の位置を通り、かつ前記ハンドルの前記横断バーのうち前記一方のキャップの前記開孔に対応する位置を通ることを特徴とする水中用ＬＥＤ照明装置である。
【００１５】
本発明は、前記ＬＥＤパネルは、複数の緑色のＬＥＤ素子を含む第１領域と、複数の白色のＬＥＤ素子を含む第２領域とを有し、前記第１領域と前記第２領域とが交互に配置されていることを特徴とする水中用ＬＥＤ照明装置である。
【００１６】
本発明は、水中用ＬＥＤ照明装置において、本体部と、前記本体部に取り付けられ、複数のＬＥＤ素子を含むＬＥＤパネルと、前記ＬＥＤパネルを外方から取り囲む筒状の保護管と、前記保護管の両端開口を封止する一対のキャップとを備え、一方のキャップに、一対の脚部と、前記一対の脚部間に延びる横断バーとを有するハンドルを設けたことを特徴とする水中用ＬＥＤ照明装置である。
【００１７】
本発明は、前記一方のキャップに、各前記ＬＥＤパネルと電源装置とを接続するケーブルが挿入され、前記ケーブルは、前記一方のキャップの中心より径方向外側の位置を通り、かつ前記ハンドルの前記横断バーのうち前記一方のキャップの前記中心に対応する位置を通ることを特徴とする水中用ＬＥＤ照明装置である。
【００１８】
本発明は、水中用ＬＥＤ照明システムにおいて、前記水中用ＬＥＤ照明装置と、前記水中用ＬＥＤ照明装置の前記ＬＥＤパネルに電力を供給する電源装置と、前記水中用ＬＥＤ照明装置の前記ＬＥＤパネルと前記電源装置とを接続するケーブルとを備えたことを特徴とする水中用ＬＥＤ照明システムである。
【発明の効果】
【００１９】
本発明によれば、水中でＬＥＤ素子からの熱を効果的に逃がすことができる。
【図面の簡単な説明】
【００２０】
【図１】図１は本発明の一実施の形態による水中用ＬＥＤ照明装置を示す分解組立斜視図。
【図２】図２は本発明の一実施の形態による水中用ＬＥＤ照明装置を示す分解組立正面図。
【図３】図３は本発明の一実施の形態による水中用ＬＥＤ照明装置を示す長手方向断面図。
【図４】図４は本発明の一実施の形態による水中用ＬＥＤ照明装置を示す側面図（図３のIV方向矢視図）。
【図５】図５は本発明の一実施の形態による水中用ＬＥＤ照明装置の長手方向に垂直な断面図（図３のＶ−Ｖ線断面図）。
【図６】図６は冷却管を示す斜視図。
【図７】図７は冷却管の変形例を示す断面図。
【図８】図８（ａ）および（ｂ）はそれぞれＬＥＤパネルを示す平面図および正面図。
【図９】図９は上部キャップ周囲を示す拡大断面図。
【図１０】図１０は本発明の一実施の形態による水中用ＬＥＤ照明システムを示す斜視図。
【図１１】図１１は水中用ＬＥＤ照明システムを使用している状態を示す概略図。
【発明を実施するための形態】
【００２１】
以下、本発明の一実施の形態について、図１乃至図１１を参照して説明する。
【００２２】
水中用ＬＥＤ照明装置の構成
図１乃至図５に示すように、本実施の形態による水中用ＬＥＤ照明装置（集魚灯装置）１０は、冷却管（本体部）２０と、冷却管２０に取り付けられた複数（この場合は６つ）のＬＥＤパネル３０と、冷却管２０の周囲に配置された保護管４０と、保護管４０の両端に設けられた一対のキャップ５０ａ、５０ｂとを備えている。
【００２３】
このうち冷却管２０は、その内部に貫通孔２１が形成され、かつ複数（この場合は６つ）の平坦な外面２２を有している。また、各ＬＥＤパネル３０は、冷却管２０の各外面２２に取り付けられ、それぞれ複数のＬＥＤ素子３２を含んでいる。また、筒状の保護管４０は、冷却管２０およびＬＥＤパネル３０を外方から取り囲むように配置されている。さらに、この保護管４０の両端開口４１ａ、４１ｂは、それぞれキャップ５０ａ、５０ｂによって封止されている。
【００２４】
以下、水中用ＬＥＤ照明装置１０を構成する各部材について説明する。
【００２５】
冷却管
冷却管２０は、図６に示すように、略正六角柱形状を有しており、その中心には貫通孔２１が形成されている。この貫通孔２１は、後述するようにその内部に海水を流過させることによりＬＥＤパネル３０を冷却するためのものであり、冷却管２０の一端２０ａから他端２０ｂに向けて長手方向全体を貫通して形成されている。
【００２６】
この場合、貫通孔２１の断面形状は円形であるが、これに限られるものではなく、例えば多角形または星形状、あるいは、中心に位置する第１の円形状の周囲に、該第１の円形状より小径の第２の円形状を冷却管２０の外面２２の数と同数だけ配置した形状（図７参照）としても良い。とりわけ貫通孔２１の断面を星形状または図７に示す形状とした場合、貫通孔２１内部の表面積が拡がるため、ＬＥＤパネル３０の冷却効率を高めることができる。
【００２７】
また、冷却管２０には、長手方向に延びる６つの長方形状の外面２２が形成されている。各外面２２には、ＬＥＤパネル３０を取り付けるための複数のねじ穴２３が設けられている。また、外面２２は平坦なので、ＬＥＤパネル３０を取り付けやすく、また後述するＬＥＤ素子３２から生ずる熱を逃がしやすい。
【００２８】
冷却管２０の両端には、それぞれキャップ５０ａ、５０ｂを取り付けるための取付開口２４ａ、２４ｂが形成されている。この取付開口２４ａ、２４ｂ内に、キャップ５０ａ、５０ｂの冷却管取付部５２ａ、５２ｂ（図３）が各々挿入されるようになっている。
【００２９】
なお、冷却管２０は、例えば真鍮またはアルミニウム等の金属の押出成形部材から作製されても良い。とりわけ冷却管２０の材料としてアルミニウムを用いた場合、水中用ＬＥＤ照明装置１０の全体を軽量化することができる。また、冷却管２０の形状は、六角柱形状に限られるものではなく、三角柱、四角柱または八角柱等の多角柱形状としても良い。冷却管２０は、ＬＥＤパネル３０と別個に製作されるので、加工が容易である。
【００３０】
ＬＥＤパネル
ＬＥＤパネル３０は、図８（ａ）および（ｂ）に示すように、絶縁性の基板３１と、基板３１上に配置された複数のＬＥＤ素子３２とを有している。また、基板３１の裏面側には回路部３３（図８（ｂ））が形成されており、これにより電源装置８０（図１０）からの電気を各ＬＥＤ素子３２に対して供給するようになっている。
【００３１】
基板３１は、ポリカーボネート、熱可塑性ポリイミド等の有機基板からなっていてもよく、またはガラス基板、シリコン基板等の無機基板からなっていても良い。
【００３２】
ＬＥＤ素子３２は、従来一般に用いられているものを使用することができ、発光層として例えばＧａＰ、ＧａＡｓ、ＧａＡｌＡｓ、ＧａＡｓＰ、ＡｌＩｎＧａＰ、またはＩｎＧａＮ等の化合物半導体単結晶からなる材料を含んでいても良い。
【００３３】
また、ＬＥＤパネル３０は、第１領域３４と第２領域３５とを含んでいる。このうち第１領域３４には、複数の緑色のＬＥＤ素子３２（３２Ｇ）が配置されている。また、第２領域３５には、複数の白色のＬＥＤ素子３２（３２Ｗ）が配置されている。さらに、第１領域３４と第２領域３５とは、ＬＥＤパネル３０の長手方向に沿って交互に配置されている。このように、イカの目にインパクトを与えやすい緑色のＬＥＤ素子３２を、長手方向に一定間隔で配置したことにより、より効果的にイカを集めることが可能となる。
【００３４】
また、後述する電源装置８０（図１０）によって制御されることにより、第１領域３４に配置された緑色のＬＥＤ素子３２（３２Ｇ）と、第２領域３５に配置された白色のＬＥＤ素子３２（３２Ｗ）との発光光度、発光時間および消灯時間をそれぞれ独立して調整できるようにしても良い。この場合、例えば、緑色のＬＥＤ素子３２（３２Ｇ）と白色のＬＥＤ素子３２（３２Ｗ）とを交互に点灯させることもできる。
【００３５】
各ＬＥＤパネル３０に含まれるＬＥＤ素子３２の個数は、好ましくは２０個以上であり、より好ましくは５０個以上であり、さらに好ましくは１００個以上である。このことにより、水中用ＬＥＤ照明装置１０をより高出力とすることができる。また、このように高出力とした場合であっても、ＬＥＤ素子３２からの熱を効果的に冷却することが可能である。
【００３６】
なお、緑色のＬＥＤ素子３２（３２Ｇ）としては、例えば０．５Ｗ〜１Ｗの消費電力のものを用いることができ、白色のＬＥＤ素子３２（３２Ｗ）としては、例えば０．５Ｗ〜１Ｗの消費電力のものを用いることができる。この場合、ＬＥＤパネル３０全体の消費電力は、例えば３００Ｗ〜６００Ｗとなる。
【００３７】
図８（ａ）において、第１領域３４および第２領域３５には、それぞれ９個ずつのＬＥＤ素子３２が配置されているが、これに限られるものではなく、例えば１個〜９個ずつ配置しても良い。また、第１領域３４に配置されたＬＥＤ素子３２の数と、第２領域３５に配置されたＬＥＤ素子３２の数とを互いに異ならせても良い。
【００３８】
さらに、回路部３３は、各領域３４、３５ごとに独立した配線回路を用いて電流を供給するようになっている。これにより、万一１つの領域３４、３５内のＬＥＤ素子３２が故障した場合であっても、他の領域３４、３５内のＬＥＤ素子３２が消灯することが無い。したがって、水中用ＬＥＤ照明装置１０全体の照度にほとんど影響が生じないようになっている。また、ＬＥＤパネル３０が故障した場合であっても、故障したＬＥＤパネル３０を取り外し、新しいＬＥＤパネル３０を取り付けるだけでよいので、ＬＥＤパネル３０を容易に交換することができる。
【００３９】
また、絶縁性基板３１には、ＬＥＤパネル３０を冷却管２０に固定するためのねじを挿入するねじ穴３６が設けられている。しかしながら、ＬＥＤパネル３０を冷却管２０に固定する方法は、ねじを用いるものに限られない。例えば、接着剤を用いてＬＥＤパネル３０を冷却管２０に貼着しても良い。
【００４０】
保護管
保護管４０は、透光性の円筒形部材からなっている。保護管４０の両端にはそれぞれ開口４１ａ、４１ｂが形成されている。この開口４１ａ、４１ｂ内に、キャップ５０ａ、５０ｂの保護管取付部５３ａ、５３ｂ（図３）が各々挿入されるようになっている。なお、保護管４０の材料としては、例えばアクリル等の合成樹脂を挙げることができる。
【００４１】
キャップ
キャップ５０ａ、５０ｂは、近位端側（海面側）の上部キャップ５０ａと、遠位端（海底側）側の下部キャップ５０ｂとから構成されている。
【００４２】
各キャップ５０ａ、５０ｂには、その中央部に、それぞれ冷却管２０の貫通孔２１に連通する円形の開孔５１ａ、５１ｂが設けられている。すなわち、使用時にキャップ５０ａ、５０ｂの開孔５１ａ、５１ｂから進入した海水が、冷却管２０の貫通孔２１内に流入し、ＬＥＤパネル３０を冷却するようになっている。なお、各開孔５１ａ、５１ｂは、キャップ５０ａ、５０ｂの断面中心線上に位置している。
【００４３】
また、図３および図９に示すように、各キャップ５０ａ、５０ｂは、冷却管２０の径方向内側に位置する冷却管取付部５２ａ、５２ｂと、冷却管取付部５２ａ、５２ｂに一体的に連結された保護管取付部５３ａ、５３ｂとを有している。このうち保護管取付部５３ａ、５３ｂは、冷却管２０の径方向外側かつ保護管４０の径方向内側に位置している。また、保護管取付部５３ａ、５３ｂには、スカート部５４ａ、５４ｂが一体的に連結され、このスカート部５４ａ、５４ｂは、保護管４０の径方向外側に位置している。
【００４４】
冷却管取付部５２ａ、５２ｂは円筒形状を有しており、それぞれ冷却管２０の端部が嵌め込まれるようになっている。各冷却管取付部５２ａ、５２ｂには、それぞれ円周溝５５ａ、５５ｂが形成されており、各円周溝５５ａ、５５ｂには、それぞれ例えばゴム製のＯ−リング６１が装着されている。このＯ−リング６１が冷却管２０の内面に密着することにより、キャップ５０ａ、５０ｂと冷却管２０との水密状態が保持され、冷却管２０の貫通孔２１内部を流れる海水がＯ−リング６１を越えて冷却管２０の外部に漏れ出さないようになっている。
【００４５】
また、各保護管取付部５３ａ、５３ｂは、冷却管取付部５２ａ、５２ｂより大径の円筒形状を有しており、それぞれ保護管４０の端部が嵌め込まれるようになっている。各保護管取付部５３ａ、５３ｂには、それぞれ第１の円周溝５６ａ、５６ｂと、第１の円周溝５６ａ、５６ｂより保護管４０の端部側（図９の左側）に位置する第２の円周溝５７ａ、５７ｂとが形成されている。
【００４６】
このうち第１の円周溝５６ａ、５６ｂには、例えばゴム製のＯ−リング（防水リング）６２が装着されており、このＯ−リング６２が保護管４０の内面に密着することにより、キャップ５０ａ、５０ｂと保護管４０との水密状態が保持され、外部の海水がＯ−リング６２を越えて保護管４０の内部に漏れ出さないようになっている。
【００４７】
一方、第２の円周溝５７ａ、５７ｂには、例えばテフロン製のバックアップリング６３が装着されている。上述したＯ−リング６２に加え、バックアップリング６３が保護管４０に密着することにより、より確実にキャップ５０ａ、５０ｂと保護管４０との水密状態が保持されるようになっている。なお、Ｏ−リング６２の材料とバックアップリング６３の材料とが互いに同一であっても良い。
【００４８】
なお、第２の円周溝５７ａ、５７ｂの径は、第１の円周溝５６ａ、５６ｂの径より大きくなっており、これにより、第２の円周溝５７ａ、５７ｂにバックアップリング６３を装着する作業が行いやすくなっている。
【００４９】
また、スカート部５４ａ、５４ｂは、長手方向に所定長さだけ保護管４０の外側へ延びて、保護管４０の端部を覆っている。このように保護管４０の外側にスカート部５４ａ、５４ｂを設けたことにより、水中で保護管４０に対して水圧が加わり、保護管４０が内側に変形した場合であっても（図９の仮想線参照）、保護管４０の端部が反り返ることが防止される。このことにより、キャップ５０ａ、５０ｂと保護管４０との間に隙間が生じ、この隙間から水が浸入する不具合を防止することができる。なお、スカート部５４ａ、５４ｂには、支柱６０の外側の領域だけでなく、保護管４０の外側であって支柱６０の内側にある領域も含まれる。
【００５０】
ところで、一対のキャップ５０ａ、５０ｂのうち上部キャップ５０ａ（図９）には、ケーブル挿通口５８が形成されている。このケーブル挿通口５８には、ＬＥＤパネル３０と電源装置８０とを接続するケーブル７０が挿入される。この場合、ケーブル７０は、上部キャップ５０ａのうち開孔５１ａより径方向外側の位置を通っている。なお、図示していないが、ケーブル７０は、ケーブル挿通口５８を通過し、ＬＥＤパネル３０の回路部３３に電気的に接続されている。
【００５１】
さらに、上部キャップ５０ａのスカート部５４ａには、後述する支柱６０を螺着する非貫通状のねじ穴６４が周方向に沿って複数（６個）形成されている。一方、下部キャップ５０ｂのスカート部５４ｂには、貫通穴６５が周方向に沿って複数（６個）形成されている。各貫通穴６５には、それぞれ支柱６０が挿入され、ナット６６（図３）によって支柱６０が固定されている。
【００５２】
なお、図１に示すように、キャップ５０ａ、５０ｂの外周面にそれぞれ弾性部材６７を設け、これによりキャップ５０ａ、５０ｂを外部の衝撃から保護するようにしても良い。
【００５３】
キャップ５０ａ、５０ｂの材料としては、例えばステンレス鋼またはアルミニウム等の金属を挙げることができる。
【００５４】
支柱
図１乃至図３に示すように、保護管４０の外方には、長手方向に延びる円柱状の支柱６０が配置されている。この支柱６０は、周方向等間隔に複数（６本）設けられている。支柱６０は、一対のキャップ５０ａ、５０ｂを互いに連結するとともに、保護管４０を外部の衝撃から保護する役割を果たす。
【００５５】
なお、支柱６０の本数は、６本に限らず、例えば２本〜１０本としても良い。また、ＬＥＤ素子３２からの光を放出しやすくするため、支柱６０は、隣接するＬＥＤパネル３０同士の境界（冷却管２０の六角柱の長手方向に延びる各辺）上に設けられることが好ましい。
【００５６】
支柱６０の材料としては、例えばステンレス鋼またはアルミニウム等の金属を挙げることができる。
【００５７】
水中用ＬＥＤ照明システムの構成
次に、図１０を用いて、本実施の形態による水中用ＬＥＤ照明システム１００について説明する。
【００５８】
図１０に示すように、本実施の形態による水中用ＬＥＤ照明システム１００は、上述した水中用ＬＥＤ照明装置１０と、ケーブル７０と、電源装置８０とを備えている。
【００５９】
このうち電源装置８０は、水中用ＬＥＤ照明装置１０のＬＥＤパネル３０に電力を供給するものであり、例えばパワーコントローラを用いることができる。また、電源装置８０は通常、漁船１１０（図１１）の船上に設置され、同様に漁船１１０の船上に設けられた燃料発電機（図示せず）から供給される電力によって駆動する。
【００６０】
ケーブル７０は、ＬＥＤパネル３０と電源装置８０とを電気的に接続するとともに水中用ＬＥＤ照明装置１０を懸吊するために用いられるものであり、水中で使用可能な防水性を有している。なお、ケーブル７０としては、従来公知のものを用いることができる。ケーブル７０の長さは、水中用ＬＥＤ照明装置１０を配置する水深にもよるが、例えば５ｍ〜３００ｍとすることができる。また、ケーブル７０のうち上部キャップ５０ａ側の端部には、コネクタ部７１が設けられている。コネクタ部７１についても防水性を有することが好ましい。このコネクタ部７１からケーブル７０を取外すことにより、水中用ＬＥＤ照明装置１０またはケーブル７０を交換することができる。
【００６１】
さらに、図１０に示すように、水中用ＬＥＤ照明装置１０の上部キャップ５０ａに、ハンドル９０が設けられている。ハンドル９０は、一対の脚部９１と、一対の脚部９１間に延びる横断バー９２とを有している。
【００６２】
このうち脚部９１は、それぞれ上部キャップ５０ａから水中用ＬＥＤ照明装置１０の長手方向に平行に延びている。
【００６３】
また、横断バー９２は、脚部９１に対して垂直に延びており、その中央には、ケーブル７０を固定保持するケーブル取付口９３が設けられている。すなわちケーブル７０は、ケーブル取付口９３を通過するとともに、この場所で横断バー９２に対して取外し可能に固定されている。このケーブル取付口９３は、横断バー９２のうち上部キャップ５０ａの開孔５１ａに対応する位置（すなわち上部キャップ５０ａの中心線上）に設けられている。
【００６４】
ハンドル９０の材料としては、例えばステンレス鋼またはアルミニウム等の金属を挙げることができる。また、ハンドル９０および上部キャップ５０ａを一体の部材から構成しても良い。あるいはハンドル９０および上部キャップ５０ａを別体に構成し、その後これらを互いに連結するようにしても良い。
【００６５】
このように、上部キャップ５０ａにハンドル９０を設けたことにより、水中用ＬＥＤ照明装置１０を水中に投入する作業の効率を高めることができる。
【００６６】
また、ケーブル７０は、上部キャップ５０ａのケーブル挿通口５８を通り、横断バー９２のうち上部キャップ５０ａの開孔５１ａに対応する位置（すなわち上部キャップ５０ａの中心線上）のケーブル取付口９３を通るようになっている。このことにより、水中用ＬＥＤ照明装置１０を水中に投入する際、水中用ＬＥＤ照明装置１０のバランスが崩れるおそれがなく、その作業を行いやすくすることができる。また、ケーブル７０が引っ張られた際、コネクタ部７１に緩みが生じることにより、コネクタ部７１から海水が浸入する不具合を防止することができる。
【００６７】
このほか、水中用ＬＥＤ照明装置１０の構成については、図１乃至図９を用いて既に説明したので、ここでは詳細な説明を省略する。
【００６８】
本実施の形態の作用
次に、このような構成からなる本実施の形態の作用について説明する。
【００６９】
まず、水中用ＬＥＤ照明装置１０を組み立てる。この際、まず冷却管２０の各外面２２にそれぞれＬＥＤパネル３０を取り付ける。次に、冷却管２０の取付開口２４ａを上部キャップ５０ａの冷却管取付部５２ａに嵌め込む。このとき、Ｏ−リング６１が冷却管２０の内面に密着する。
【００７０】
続いて、保護管４０の開口４１ａを上部キャップ５０ａの保護管取付部５３ａに嵌め込む。このとき、Ｏ−リング６２およびバックアップリング６３が保護管４０の内面にそれぞれ密着する。次に、各支柱６０を上部キャップ５０ａのねじ穴６４にそれぞれ螺着する。
【００７１】
その後、下部キャップ５０ｂを、上部キャップ５０ａに取り付けられた冷却管２０、保護管４０および支柱６０に取り付ける。この場合、上記と同様にして、冷却管２０の取付開口２４ｂおよび保護管４０の開口４１ｂを、下部キャップ５０ｂの冷却管取付部５２ｂおよび保護管取付部５３ｂにそれぞれ嵌め込む。さらに、各支柱６０を下部キャップ５０ｂの貫通穴６５に通し、ナット６６によって各支柱６０と下部キャップ５０ｂとを固定する。
【００７２】
続いて、このようにして得られた水中用ＬＥＤ照明装置１０を、ケーブル７０を介して電源装置８０に接続する。この際、ケーブル７０は、横断バー９２のケーブル取付口９３に固定され、さらに水中用ＬＥＤ照明装置１０のＬＥＤパネル３０に電気的に接続される。このようにして、水中用ＬＥＤ照明装置１０、ケーブル７０および電源装置８０を備えた水中用ＬＥＤ照明システム１００が得られる。
【００７３】
次に、図１１に示すように、水中用ＬＥＤ照明システム１００を漁船１１０に搭載し、所定の漁場に移動する。その後、漁船１１０から水中用ＬＥＤ照明装置１０を海中に投下する。投下された水中用ＬＥＤ照明装置１０は、ケーブル７０に懸吊され、所定の水深（例えば水深５ｍ〜３００ｍ）の海中に保持される。
【００７４】
続いて、電源装置８０を起動する。この際、ケーブル７０を介してＬＥＤパネル３０に電力が供給され、水中用ＬＥＤ照明装置１０の各ＬＥＤ素子３２が点灯する。
【００７５】
その後、水中用ＬＥＤ照明装置１０のＬＥＤ素子３２から照射された光によって誘い集められた魚類を捕獲する。なお、捕獲される魚類としては、イカのほか、サバ、イワシ、アジ等の集光性をもつ魚類を挙げることができる。
【００７６】
ところで、海中でＬＥＤ素子３２を点灯している間、ＬＥＤ素子３２からは熱が生じる。このような熱を長時間放置した場合、ＬＥＤ素子３２が劣化する等の問題が発生するおそれがある。これに対して本実施の形態においては、海水が上部キャップ５０ａの開孔５１ａ（または下部キャップ５０ｂの開孔５１ｂ）から流入し、冷却管２０の貫通孔２１を流過して、下部キャップ５０ｂの開孔５１ｂ（または上部キャップ５０ａの開孔５１ａ）から流出する。このように冷却管２０内を流れる海水により、冷却管２０を介してＬＥＤ素子３２を効果的に冷却することができる。
【００７７】
また、本実施の形態において、各キャップ５０ａ、５０ｂの冷却管取付部５２ａ、５２ｂに設けられたＯ−リング６１がそれぞれ冷却管２０の内面に密着することにより、キャップ５０ａ、５０ｂと冷却管２０との水密状態が保持される。また、各キャップ５０ａ、５０ｂの保護管取付部５３ａ、５３ｂに設けられたＯ−リング６２およびバックアップリング６３がそれぞれ保護管４０に密着することにより、各キャップ５０ａ、５０ｂと保護管４０との水密状態が保持される。したがって、水中用ＬＥＤ照明装置１０を海中に配置した際、海水がＬＥＤパネル３０側に流入することが防止される。
【００７８】
さらに、海中では水中用ＬＥＤ照明装置１０に対して水圧が加わる。これに対して本実施の形態においては、保護管４０の外側にスカート部５４ａ、５４ｂを設けたことにより、水中で保護管４０に対して水圧が加わり、保護管４０が内側に変形した場合であっても、保護管４０の端部が反り返ることが防止される。これにより、海水がＬＥＤパネル３０側に流入することがより確実に防止される。
【符号の説明】
【００７９】
１０        水中用ＬＥＤ照明装置
２０        冷却管（本体部）
２１        貫通孔
２２        外面
３０        ＬＥＤパネル
３２        ＬＥＤ素子
３４        第１領域
３５        第２領域
４０        保護管
４１ａ、４１ｂ  開口
５０ａ、５０ｂ  キャップ
５１ａ、５１ｂ  開孔
５２ａ、５２ｂ  冷却管取付部
５３ａ、５３ｂ  保護管取付部
５４ａ、５４ｂ  スカート部
６０        支柱
６２        Ｏ−リング（防水リング）
６３        バックアップリング
７０        ケーブル
８０        電源装置
９０        ハンドル
９１        脚部
９２        横断バー
１００      水中用ＬＥＤ照明システム
【図１】
2014045691.tif 000003
【図２】
2014045691.tif 000004
【図３】
2014045691.tif 000005
【図４】
2014045691.tif 000006
【図５】
2014045691.tif 000007
【図６】
2014045691.tif 000008
【図７】
2014045691.tif 000009
【図８】
2014045691.tif 000010
【図９】
2014045691.tif 000011
【図１０】
2014045691.tif 000012
【図１１】
2014045691.tif 000013